(57)【要約】  調整巻線の巻線タップｎと巻線タップｎ＋１との間を遮断なしに切り換えるための負荷時タップ切換器１において、当該負荷時タップ切換器１は、−１つの第１の切換接触子２．１と、１つの第２の切換接触子２．２と、１つの第３の切換接触子２．３とを有し、前記第１の切換接触子と前記第３の切換接触子とが接続されている第１の位置と、前記第２の切換接触子と前記第３の切換接触子とが接続されている第２の位置と、これらの切換接触子が接続されているブリッジ位置とを占有できる１つの転換スイッチ２と、−割り当てられた第１の巻線タップに接続され得る１つの第１の固定接触子４と、−割り当てられた第２の巻線タップに接続され得る１つの第２の固定接触子５と、−それぞれの前記固定接触子に選択式に接触し得る１つの第１の可動接触子６と、−それぞれの前記固定接触子に選択式に接触し得る１つの第２の可動接触子７と、−前記第１の可動接触子を前記第１の切換接触子に接続させる１つの主分岐部８と、−前記第２の可動接触子を１つの限流素子１０を介して前記第２の切換接触子に接続させる１つの補助分岐部９と、−前記主分岐部と前記第２の切換接触子との間に接続されている１つの切換要素１１と、を有する。
2018514085.tif 000002
【特許請求の範囲】
【請求項１】
調整巻線の巻線タップ（ｎ）と巻線タップ（ｎ＋１）との間を遮断なしに切り換えるための負荷時タップ切換器（１）において、当該負荷時タップ切換器（１）は、
−１つの第１の切換接触子（２．１）と、１つの第２の切換接触子（２．２）と、１つの第３の切換接触子（２．３）とを有し、前記第１の切換接触子（２．１）と前記第３の切換接触子（２．３）とが接続されている第１の位置と、前記第２の切換接触子（２．２）と前記第３の切換接触子（２．３）とが接続されている第２の位置と、これらの切換接触子（２．１，２．２，２．３）が接続されているブリッジ位置とを占有できる１つの転換スイッチ（２）と、
−割り当てられた第１の巻線タップ（ｎ）に接続され得る１つの第１の固定接触子（４）と、
−割り当てられた第２の巻線タップ（ｎ＋１）に接続され得る１つの第２の固定接触子（５）と、
−それぞれの前記固定接触子（４，５）に選択式に接触し得る１つの第１の可動接触子（６）と、
−それぞれの前記固定接触子（４，５）に選択式に接触し得る１つの第２の可動接触子（７）と、
−前記第１の可動接触子（６）を前記第１の切換接触子（２．１）に接続させる１つの主分岐部（８）と、
−前記第２の可動接触子（７）を１つの限流素子（１０）を介して前記第２の切換接触子（２．２）に接続させる１つの補助分岐部（９）と、
−前記主分岐部（８）と前記第２の切換接触子（２．２）との間に接続されている１つの切換要素（１１）と、を有する当該負荷時タップ切換器（１）。
【請求項２】
−前記転換スイッチ（２）が、ブリッジ転換スイッチとして構成されていて、前記第３の切換接触子（２．３）に接続されている可動の１つの第１の中央接触子（２．４）を有し、
−前記第１の位置では、前記中央接触子（２．４）が、前記第１の切換接触子（２．１）に接触し、前記第２の位置では、前記中央接触子（２．４）が、前記第２の切換接触子（２．２）に接触し、前記ブリッジ位置では、前記中央接触子（２．４）が、前記第１の切換接触子（２．１）と前記第２の切換接触子（２．２）とに接触する請求項１に記載の負荷時タップ切換器（１）。
【請求項３】
−前記転換スイッチ（２）が、前記第３の切換接触子（２．３）に接続されている可動の１つの第１の中央接触子（２．４）と、前記第３の切換接触子（２．３）に接続されている可動の１つの第２の中央接触子（２．５）と有し、
−前記第１の位置では、前記第１の中央接触子（２．４）及び／又は前記第２の中央接触子（２．５）が、前記第１の切換接触子（２．１）に接触し、前記第２の位置では、前記第２の中央接触子（２．５）及び／又は前記第１の中央接触子（２．４）が、前記第２の切換接触子（２．２）に接触し、前記ブリッジ位置では、前記第１の中央接触子（２．４，２．５）が、前記第１の切換接触子（２．１）に接触し、前記第２の中央接触子（２．４，２．５）が、前記第２の切換接触子（２．２）に接触する請求項１又は２に記載の負荷時タップ切換器（１）。
【請求項４】
−それぞれの固定接触子（４，５）が、２つの接触面（４．１，４．２，５．１，５．２）を有し、
−前記それぞれの固定接触子（４，５）ごとに、第１の前記接触面（４．１，５．１）が、第１の前記可動接触子（６）に割り当てられていて、第２の前記接触面（４．２，５．２）が、第２の前記可動接触子（７）に割り当てられている請求項１〜３のいずれか１項に記載の負荷時タップ切換器（１）。
【請求項５】
１つの第１の可動接触子（６）と１つの第２の可動接触子（７）と１つの第１の固定接触子（４）と１つの第２の固定接触子（５）とを有し、特に請求項１〜４のいずれか１項にしたがって構成されている負荷時タップ切換器（１）を操作するための方法において、
−前記可動接触子（６，７）が前記第１の固定接触子（４）に接触する第１の定常状態から、前記可動接触子（６，７）が前記第２の固定接触子（５）に接触する第２の定常状態に切り換えられる当該方法。
【請求項６】
−前記第２の可動接触子（７）が、前記第１の固定接触子（４）から切り離され、前記第２の固定接触子（５）に接触され、
−負荷電流ＩＬが、主分岐部（８）から補助分岐部（９）に切り換えられ、
−前記第１の可動接触子（６）が、前記第１の固定接触子（４）から切り離され、前記第２の固定接触子（５）に接触される請求項５に記載の方法。
【請求項７】
−前記第１の可動接触子（６）が、前記第１の固定接触子（４）から切り離され、前記第２の固定接触子（５）に接触され、
−負荷電流ＩＬが、補助分岐部（９）から主分岐部（８）に切り換えられ、
−前記第２の可動接触子（７）が、前記第１の固定接触子（４）から切り離され、前記第２の固定接触子（５）に接触される請求項５又は６に記載の方法。
【請求項８】
負荷電流ＩＬが、１つの転換スイッチ（２）と１つの切換要素（１１）とによって切り換えられ、
−前記切換要素（１１）が閉じられているときにだけ、前記転換スイッチ（２）が操作される請求項５〜７のいずれか１項に記載の方法。
【請求項９】
−前記転換スイッチ（２）が、１つの第１の切換接触子（２．１）と１つの第２の切換接触子（２．２）と１つの第３の切換接触子（２．３）とを有し、前記第１の切換接触子（２．１）と前記第３の切換接触子（２．３）とが接続されている第１の位置と、前記第２の切換接触子（２．２）と前記第３の切換接触子（２．３）とが接続されている第２の位置と、これらの切換接触子（２．１，２．２，２．３）が接続されているブリッジ位置とを占有でき、
−前記第１の可動接触子（６）の移動前に、前記切換要素（１１）が開かれ、前記転換スイッチ（２）が、前記第２の位置を占有し、及び／又は、前記第２の可動接触子（７）の移動前に、前記切換要素（１１）が開かれ、前記転換スイッチ（２）が、前記第１の位置を占有する請求項８に記載の方法。
【請求項１０】
ステップａでは、切換要素（１１）が開かれるか又は開いたままであり、転換スイッチ（２）が、第１の位置を占有し、
ステップｂでは、前記第２の可動接触子（７）が、前記第１の固定接触子（４）から切り離され、前記第２の固定接触子（５）に接触され、
ステップｃでは、前記切換要素（１１）が閉じられ、前記第２の可動接触子（７）を、限流素子（１０）を介して前記第２の切換接触子（２．２）に接続させる補助分岐部（９）が、前記第１の可動接触子（６）を第１の切換接触子（２．１）に接続させる主分岐部（８）に前記切換要素（１１）を介して接続し、
ステップでｄでは、転換スイッチ（２）が、ブリッジ位置に切り換えられ、
ステップｅでは、前記転換スイッチ（２）が、第２の位置に切り換えられ、
ステップｆでは、前記切換要素（１１）が開かれ、前記補助分岐部（９）が、前記切換要素（１１）によって前記主分岐部（８）から切り離され、
ステップｇでは、前記第１の可動接触子（６）が、前記第１の固定接触子（４）から切り離され、前記第２の固定接触子（５）に接触され、
ステップｈでは、前記切換要素（１１）が閉じられ、前記補助分岐部（９）が、前記切換要素（１１）を介して前記主分岐部（８）に接続され、
ステップｉでは、前記転換スイッチ（２）が、前記ブリッジ位置に切り換えられ、
ステップｊでは、前記転換スイッチ（２）が、前記第１の位置に切り換えられる請求項５〜９のいずれか１項に記載の方法。
【請求項１１】
ステップｊ後のステップｋでは、前記切換要素（１１）が開かれる請求項１０に記載の方法。
【請求項１２】
−１つの調整巻線（２０）と、
−前記調整巻線に接続されていて、請求項１〜４のいずれか１項に記載の負荷時タップ切換器（１）と、を有する電気設備。
【発明の詳細な説明】
【技術分野】
【０００１】
本発明は、調整巻線の巻線タップと巻線タップとの間を遮断なしに切り換えるための負荷時タップ切換器、負荷時タップ切換器を操作するための方法、及び調整巻線と負荷時タップ切換器とを有する電気設備に関する。
【背景技術】
【０００２】
独国特許出願公開第１の０２００９０４８８１３号明細書は、タップ付き変圧器の巻線タップと巻線タップとの間を遮断なしに切り換えるための負荷時タップ切換器を開示している。この負荷時タップ切換器は、２つの負荷分岐部を有する。これらの負荷分岐部の各々の負荷分岐部が、主接触子として作用する１つの真空バルブを有し、１つの切換抵抗と１つの真空バルブとから成る１つの直列回路をこの真空バルブに対して並列に有する。当該複数の巻線タップが、当該複数の負荷分岐部を介して共通の１つの負荷出力線に接続され得る。追加の遮断スイッチとして使用される複数の機械式切換要素が、当該両負荷分岐部のこれらの真空バルブとこの負荷出力線との間に配置されている。当該機械式切換要素によって、負荷電流を通電させない負荷分岐部内で、当該それぞれの真空バルブをこの負荷出力線から電気的に絶縁すること、すなわち当該負荷時タップ切換器のサージ電圧耐量を向上させることが可能である。
【先行技術文献】
【特許文献】
【０００３】
【特許文献１】独国特許出願公開第１の０２００９０４８８１３号明細書
【発明の概要】
【発明が解決しようとする課題】
【０００４】
このため、本発明は、独立請求項に記載の対象を提唱する。本発明の好適なその他の構成及び実施の形態が、従属請求項２〜７に記載されている。
【課題を解決するための手段】
【０００５】
本発明は、第１の観点によれば、調整巻線の巻線タップと巻線タップとの間を遮断なしに切り換えるための負荷時タップ切換器を提唱する。
【０００６】
当該負荷時タップ切換器は、
−１つの第１の切換接触子と、１つの第２の切換接触子と、１つの第３の切換接触子とを有し、前記第１の切換接触子と前記第３の切換接触子とが接続されている第１の位置と、前記第２の切換接触子と前記第３の切換接触子とが接続されている第２の位置と、これらの切換接触子が接続されているブリッジ位置とを占有できる１つの転換スイッチと、
−割り当てられた第１の巻線タップに接続され得る１つの第１の固定接触子と、
−割り当てられた第２の巻線タップに接続され得る１つの第２の固定接触子と、
−それぞれの前記固定接触子に選択式に接触し得る１つの第１の可動接触子と、
−それぞれの前記固定接触子に選択式に接触し得る１つの第２の可動接触子と、
−前記第１の可動接触子を前記第１の切換接触子に接続させる１つの主分岐部と、
−前記第２の可動接触子を１つの限流素子を介して前記第２の切換接触子に接続させる１つの補助分岐部と、
−前記主分岐部と前記第２の切換接触子との間に接続されている１つの切換要素と、を有する。
【０００７】
この負荷時タップ切換器は、２つの固定接触子のうちのそれぞれの固定接触子が割り当てられた１つの巻線タップに接続されているこれらの固定接触子によって、２つの可動接触子を１つの固定接触子、すなわち１つの巻線タップに同時に接触させることを可能にする。したがって、当該負荷時タップ切換器の全体が、所定の電位にある結果、高いサージ電圧耐量を呈する。さらに、例えばバリスタのような電圧制限素子が不要になる。
【０００８】
この負荷時タップ切換器は、少ない機械式開閉接点及び真空バルブを用いて高いサージ電圧耐量を呈する結果、低コストであり、信頼できる。
【０００９】
この負荷時タップ切換器は、必要に応じて任意の態様で構成でき、例えば、
−負荷タップ選択器として構成できるか、又は当該負荷時タップ切換器が、少なくとも１つの切換開閉器と少なくとも１つの選択器とを有するように構成でき、及び／又は
−当該負荷時タップ切換器が、少なくとも１つの転換スイッチを有するか若しくは追加の転換スイッチを有しないように、及び／又は少なくとも１つの固定接触子を有するか若しくは追加の固定接触子を有しないように、及び／又は少なくとも１つの可動接触子を有するか若しくは追加の可動接触子を有しないように、及び／又は少なくとも１つの主分岐部を有するか若しくは追加の主分岐部を有しないように、少なくとも１つの補助分岐部を有するか若しくは追加の補助分岐部を有しないように、及び／又は少なくとも１つの切換要素を有するか若しくは追加の切換要素を有しないように構成できる。
【００１０】
当該可動接触子は、必要に応じて任意の態様で構成でき、例えば、単一平面内で又は少なくとも１つの平面内で又は異なる複数の平面内でリニア式に又は回転式に移動され得る接触子として構成できる。当該可動接触子は、タップ切換器の選択器接触子として構成され得る。
【００１１】
特に、
−当該主分岐部が、当該第１の可動接触子を当該第１の切換接触子に直接に接続し、及び／又は
−当該限流素子が、抵抗として構成されていて、及び／又は
−当該複数の可動接触子が、互いに独立して操作可能であることが規定されている。
【００１２】
特に、
−前記転換スイッチが、ブリッジ転換スイッチとして構成されていて、前記第３の切換接触子に接続されている可動の１つの第１の中央接触子を有し、
−前記第１の位置では、前記中央接触子が、前記第１の切換接触子に接触し、前記第２の位置では、前記中央接触子が、前記第２の切換接触子に接触し、前記ブリッジ位置では、前記中央接触子が、前記第１の切換接触子と前記第２の切換接触子とに接触することが規定されている。
【００１３】
この場合、当該ブリッジ転換スイッチは、可動な中央接触子が回転されるロータリースイッチ又は可動な中央接触子が引っ張られるか又は押圧されるプルスイッチとして構成され得る。
【００１４】
好ましくは、当該中央接触子は、その第１の位置で当該第２の切換接触子に接触せず、その第２の位置で当該第１の切換接触子に接触しない。
【００１５】
特に、
−前記転換スイッチが、前記第３の切換接触子に接続されている可動の１つの第１の中央接触子と、前記第３の切換接触子に接続されている可動の１つの第２の中央接触子と有し、
−前記第１の位置では、前記第１の中央接触子及び／又は前記第２の中央接触子が、前記第１の切換接触子に接触し、前記第２の位置では、前記第２の中央接触子及び／又は前記第１の中央接触子が、前記第２の切換接触子に接触し、前記ブリッジ位置では、前記第１の中央接触子が、前記第１の切換接触子に接触し、前記第２の中央接触子が、前記第２の切換接触子に接触することが規定されている。
【００１６】
２つの中央接触子のうちの一方の中央接触子が、当該第１の切換接触子に接触し、その他方の中央接触子が、当該第２の切換接触子に接触することによって、当該２つの切換接触子を有する転換スイッチが、そのブリッジ位置に到達する。これらの中央接触子のうちの少なくとも１つの中央接触子が、第１の位置又は第２の位置で第１の切換接触子又は第２の切換接触子に接触する必要がある。
【００１７】
好ましくは、これらの中央接触子が、その第１の位置で当該第２の切換接触子に接触せず、その第２の位置で当該第１の切換接触子に接触しない。
【００１８】
特に、当該限流素子が、少なくとも１つの抵抗及び／又は少なくとも１つのインダクタンス及び／又は少なくとも１つのバリスタを有することが規定されている。
【００１９】
特に、当該切換要素が、真空バルブ、油中式切換路、又は例えばＩＧＢＴ又はサイリスタでもよい半導体素子として構成されていることが規定されている。
【００２０】
特に、
−それぞれの固定接触子が、２つの接触面を有し、
−前記それぞれの固定接触子ごとに、第１の前記接触面が、第１の前記可動接触子に割り当てられていて、第２の前記接触面が、第２の前記可動接触子に割り当てられていることが規定されている。
【００２１】
これらの接触面は、任意の態様で形成され得る、例えば、共通の１つの平面内に形成され得るか、又は異なる複数の平面内に形成され得るか、及び／又は同じ方向若しくは異なる複数の方向に突出し得るか、及び／又は単一部材若しくは複数の部材で形成され得る。
【００２２】
特に、当該第３の切換接触子が、１つの負荷出力線に接続されているか又は接続され得ることが規定されている。
【００２３】
本発明は、第２の観点によれば、少なくとも１つの第１の可動接触子及び第２の可動接触子並びに少なくとも１つの第１の固定接触子及び第２の固定接触子を有する負荷時タップ切換器を操作するための方法を提唱する。この場合、
−前記可動接触子が前記第１の固定接触子に接触する第１の定常状態から、前記可動接触子が前記第２の固定接触子に接触する第２の定常状態に切り換えられる。
【００２４】
この方法は、当該負荷時タップ切換器が、定常状態中に所定の電位にあることを可能にする。何故なら、当該個々の可動接触子が、共通の１つの巻線タップの１つの固定接触子に接触するからである。
【００２５】
この負荷時タップ切換器は、少ない機械式開閉接点及び真空バルブを用いて高いサージ電圧耐量を呈する結果、低コストであり、信頼できる。
【００２６】
当該負荷時タップ切換器は、必要に応じて任意の態様で構成でき、例えば、当該第１の観点にしたがって提唱されている負荷時タップ切換器のうちの１つの負荷時タップ切換器のように構成でき、及び／又は第３の観点にしたがって提唱されている電気設備のうちの１つの電気設備の一部として構成できる。
【００２７】
特に、
−前記第２の可動接触子が、前記第１の固定接触子から切り離され、前記第２の固定接触子に接触され、
−負荷電流が、主分岐部から補助分岐部に切り換えられ、
−前記第１の可動接触子が、前記第１の固定接触子から切り離され、前記第２の固定接触子に接触されることが規定されている。
【００２８】
両可動接触子が、当該第２の固定接触子に接触した後に、当該負荷電流が、補助分岐部から主分岐部に切り替えられ得る。
【００２９】
特に、
−前記第１の可動接触子が、前記第１の固定接触子から切り離され、前記第２の固定接触子に接触され、
−負荷電流が、補助分岐部から主分岐部に切り換えられ、
−前記第２の可動接触子が、前記第１の固定接触子から切り離され、前記第２の固定接触子に接触されることが規定されている。
【００３０】
当該第１の可動接触子が、当該第１の固定接触子から切り離され、当該第２の固定接触子に接触する前に、当該負荷電流が、当該主分岐部から当該補助分岐部に切り換えられ得る。
【００３１】
特に、当該負荷電流が、１つの転換スイッチと１つの切換要素とによって切り換えられることが規定されている。
【００３２】
当該転換スイッチは、好ましくは、当該提唱されている負荷時タップ切換器のうちの１つの負荷時タップ切換器内の転換スイッチのように構成されている。当該切換要素は、好ましくは、当該提唱されている負荷時タップ切換器のうちの１つの負荷時タップ切換器内の切換要素のように構成されている。
【００３３】
特に、前記切換要素が閉じられているときにだけ、前記転換スイッチが操作されることが規定されている。
【００３４】
特に、
−前記転換スイッチが、１つの第１の切換接触子と１つの第２の切換接触子と１つの第３の切換接触子とを有し、前記第１の切換接触子と前記第３の切換接触子とが接続されている第１の位置と、前記第２の切換接触子と前記第３の切換接触子とが接続されている第２の位置と、これらの切換接触子が接続されているブリッジ位置とを占有でき、
−前記第１の可動接触子の移動前に、前記切換要素が開かれ、前記転換スイッチが、前記第２の位置を占有するか若しくはこの位置に切り換えられ、したがって特に前記負荷電流が、前記主分岐部から前記補助分岐部に切り換えられ、及び／又は、前記第２の可動接触子の移動前に、前記切換要素が開かれ、前記転換スイッチが、前記第１の位置を占有するか若しくはこの位置に切り換えられ、したがって特に前記負荷電流が、前記補助分岐部から前記主分岐部に切り換えられることが規定されている。
【００３５】
特に、
ステップａでは、切換要素が開かれるか又は開いたままであり、転換スイッチが、第１の位置を占有するか若しくはこの位置に切り換えられ、
ステップｂでは、前記第２の可動接触子が、前記第１の固定接触子から切り離され、前記第２の固定接触子に接触され、
ステップｃでは、前記切換要素が閉じられ、前記第２の可動接触子を、限流素子を介して前記第２の切換接触子に接続させる補助分岐部が、前記第１の可動接触子を第１の切換接触子に接続させる主分岐部に前記切換要素を介して接続し、
ステップでｄでは、転換スイッチが、ブリッジ位置に切り換えられ、
ステップｅでは、前記転換スイッチが、第２の位置に切り換えられ、
ステップｆでは、前記切換要素が開かれ、前記補助分岐部が、前記切換要素によって前記主分岐部から切り離され、
ステップｇでは、前記第１の可動接触子が、前記第１の固定接触子から切り離され、前記第２の固定接触子に接触され、
ステップｈでは、前記切換要素が閉じられ、前記補助分岐部が、前記切換要素を介して前記主分岐部に接続され、
ステップｉでは、前記転換スイッチが、前記ブリッジ位置に切り換えられ、
ステップｊでは、前記転換スイッチが、前記第１の位置に切り換えられることが規定されている。
【００３６】
特に、
−ステップｊ後のステップｋでは、前記切換要素が開かれることが規定されている。
【００３７】
本発明は、第３の観点によれば、
−１つの調整巻線と、
−前記調整巻線に接続されていて、前記第１の観点にしたがって提唱されている負荷時タップ切換器のうちの１つの負荷時タップ切換器のように構成されている負荷時タップ切換器と、を有する電気設備を提唱する。
【００３８】
この電気設備は、少ない機械式開閉接点及び真空バルブを用いて高いサージ電圧耐量を呈する結果、低コストであり、信頼できる。
【００３９】
この電気設備は、必要に応じて任意の態様で構成でき、例えば、
−交流主電源内の無効電力を制御するための補償リアクトルとして、又は変電所の変圧器若しくは電力用変圧器若しくは調整変圧器若しくは移相変圧器若しくは整流器用変圧器として、又は無効電力補償設備として構成でき、及び／又は
−当該電気設備が、少なくとも１つの追加の調整巻線を有するか若しくは追加の調整巻線を有しないように、及び／又は少なくとも１つの追加の負荷時タップ切換器を有するか若しくは追加の負荷時タップ切換器を有するように、及び／又は少なくとも１つの主巻線を有するように構成できる。
【００４０】
例えば、当該提唱されている方法のうちの１つの方法が、当該提唱されているそれぞれの負荷時タップ切換器と、当該提唱されているそれぞれの電気設備によって実行され得る。
【００４１】
当該負荷時タップ切換器が、当該提唱されている方法のうちの１つの方法を実行する及び／又は実行し得るように、当該提唱されているそれぞれの負荷時タップ切換器が構成でき、及び／又はこのために使用でき、及び／又はこのために適し得る。特に、当該電気設備が、当該提唱されている方法のうちの１つの方法を実行する及び／又は実行し得るように、当該提唱されているそれぞれの電気設備が構成でき、及び／又はこのために使用でき、及び／又はこのために適し得る。
【００４２】
したがって、本発明の上記の複数の観点のうちの１つの観点に対する実施の形態及び説明、特にこの観点の個々の特徴に対する実施の形態及び説明は、本発明のその他の観点に対しても同様に成立する。
【００４３】
以下に、本発明の複数の実施の形態を添付図面に基づいて例示的に詳しく説明する。しかしながら、これらから由来する個々の特徴は、当該個々の実施の形態に限定されるのではなくて、説明されている個々の特徴及び／又は別の実施の個々の特徴と結合及び／又は組み合わせされ得る。図面中の詳細は、例示にすぎず、限定するものと解釈してはならない。特許請求の範囲に記載されている符号は、本発明の保護範囲を限定するものではなくて、当該図面中に示されたこれらの実施の形態だけを示すものである。
【図面の簡単な説明】
【００４４】
【図１】好適な形態の負荷時タップ切換器を有する電気設備の好適な実施の形態を示す。
【図２ａ】負荷時タップ切換器における切換シーケンスを示す。
【図２ｂ】負荷時タップ切換器における切換シーケンスを示す。
【図２ｃ】負荷時タップ切換器における切換シーケンスを示す。
【図２ｄ】負荷時タップ切換器における切換シーケンスを示す。
【図２ｅ】負荷時タップ切換器における切換シーケンスを示す。
【図２ｆ】負荷時タップ切換器における切換シーケンスを示す。
【図２ｇ】負荷時タップ切換器における切換シーケンスを示す。
【図２ｈ】負荷時タップ切換器における切換シーケンスを示す。
【図２ｉ】負荷時タップ切換器における切換シーケンスを示す。
【図２ｊ】負荷時タップ切換器における切換シーケンスを示す。
【図２ｋ】負荷時タップ切換器における切換シーケンスを示す。
【図３ａ】第２の中央接触子を有する転換スイッチの切換シーケンスを示す。
【図３ｂ】第２の中央接触子を有する転換スイッチの切換シーケンスを示す。
【図３ｃ】第２の中央接触子を有する転換スイッチの切換シーケンスを示す。
【発明を実施するための形態】
【００４５】
図１には、電気設備の好適な実施の形態が概略的に示されている。この実施の形態は、調整変圧器を一例として構成し、調整巻線２０と、この調整巻線２０の巻線タップｎと巻線タップｎ＋１との間を遮断なしに切り換えるために好適な実施の形態にしたがって構成された負荷時タップ切換器１とを一例として有する。この負荷時タップ切換器１は、第１の実施の形態にしたがって構成された第１の切換接触子２．１と第２の切換接触子２．２と第３の切換接触子２．３と当該電気設備の負荷出力線３に接続されている可動の中央接触子２．４とを有する転換スイッチ２を備える。この転換スイッチ２は、ブリッジ転換スイッチ２として構成されている。この転換スイッチ２は、第１の位置で第１の切換接触子２．１に接触し、第２の位置で第２の切換接触子２．２に接触し、ブリッジ位置で両切換接触子２．１，２．２に接触する。この場合、この転換スイッチ２は、当該第１の位置で第１の切換接触子２．１と第３の切換接触子２．３とを接続し、当該第２の位置で第２の切換接触子２．２と第３の切換接触子２．３とを接続し、当該ブリッジ位置で第１の切換接触子２．１と第２の切換接触子２．２と第３の切換接触子２．３とを接続する。
【００４６】
複数の固定接触子のうちの２つの固定接触子４，５が、割り当てられた巻線タップｎ，ｎ＋１に接続されている。この場合、これらの固定接触子の数は、これらの巻線タップの数に依存する。それぞれの固定接触子４，５は、少なくとも２つの接触面４．１，４．２，５．１，５．２を有する。さらに、負荷時タップ切換器１が、少なくとも２つの可動接触子６，７を有する。これらの可動接触子６，７の各々の可動接触子６，７が、これらの固定接触子のうちの少なくとも１つの固定接触子４，５に接触し得る。この場合、第１の接触面４．１，５．１が、第１の可動接触子６に常に割り当てられていて、第２の接触面４．２，５．２が、第２の可動接触子７に常に割り当てられている。
【００４７】
主分岐部８が、第１の可動接触子６を第１の切換接触子２．１に接続させる。補助分岐部９が、限流素子１０を介して第２の可動接触子７を第２の切換接触子２．２に接続させる。この場合、この限流素子１０は、抵抗、インダクタンス（コイル）又はバリスタとして形成されている。主分岐部８と補助分岐部９とが、この主分岐部８とこの第２の切換接触子２．２との間（この限流素子１０とこの第２の切換接触子２．２との間）に接続されている切換要素１１を介して互いに接続され得る。この切換要素１１は、特に真空バルブとして構成されている。
【００４８】
図２ａ〜２ｋには、負荷時タップ切換器１の切換シーケンスの好適な実施の形態が図示されている。
【００４９】
ステップａでは、切換要素１１が開かれるか又は開いたままである。この場合、図２に示されているように、中央接触子２．４が第１の切換接触子２．１に接触する第１の位置を、転換スイッチ２が占有する。ここでは、負荷電流ＩＬが、巻線タップｎから主分岐部８を経由して、すなわち固定接触子４と可動接触子６とを経由して転換スイッチ２と負荷出力線３とへ通電する。
【００５０】
ステップｂでは、図２ｂに示されているように、第２の可動接触子７が、第２の固定接触子５に接触するまで、この第２の可動接触子７が、第１の固定接触子４から切り離される。
【００５１】
ステップｃでは、図２ｃに示されているように、切換要素１１が閉じられ、第２の可動接触子７を、限流素子１０を介して第２の切換接触子２．２に接続させる補助分岐部９が、この切換要素１１を介して第１の可動接触子６を第１の切換接触子２．１に接続させる主分岐部８に接続する。このとき、異なる２つの巻線タップｎ及びｎ＋１が導電接続されているので、循環電流Ｉｋが発生する。この循環電流Ｉｋは、限流素子１０によって制限される。
【００５２】
ステップでｄでは、図２ｄに示されているように、転換スイッチ２が、ブリッジ位置に切り換えられる。このブリッジ位置では、中央接触子２．３が、両切換接触子２．１，２．２に接触する。
【００５３】
ステップｅでは、図２ｅに示されているように、転換スイッチ２が、第２の位置に切り換えられる。この第２の位置では、中央接触子２．３が、第２の切換接触子２．２に接触する。
【００５４】
ステップｆでは、切換要素１１が開かれ、補助分岐部９が、図２ｆに示されているように、切換要素１１によって主分岐部８から切り離される。ここでは、循環電流Ｉｋが遮断される。このとき、負荷電流ＩＬが、巻線タップｎ＋１から補助分岐部９を経由して、すなわち固定接触子５と可動接触子７とを経由して転換スイッチ２と負荷出力線３とへ通電する。
【００５５】
ステップｇでは、図２ｇに示されているように、第１の可動接触子６が、第１の固定接触子４から切り離され、第２の固定接触子５に接触する。
【００５６】
ステップｈでは、図２ｈに示されているように、切換要素１１が閉じられ、補助分岐部９が、切換要素１１を介して主分岐部８に接続される。
【００５７】
負荷電流ＩＬが、巻線タップｎ＋１から主分岐部８を経由して、すなわち固定接触子５と可動接触子６とを経由して、切換要素１１を経由して転換スイッチ２と負荷出力線３とへ通電する。
【００５８】
ステップｉでは、図２ｉに示されているように、転換スイッチ２が、ブリッジ位置に切り換えられる。
【００５９】
ステップｊでは、図２ｊに示されているように、転換スイッチ２が、第１の位置に切り換えられる。このとき、負荷電流ＩＬが、巻線タップｎ＋１から主分岐部８を経由して、すなわち固定接触子５と可動接触子６とを経由して転換スイッチ２と負荷出力線３とへ通電する。
【００６０】
ステップｊ後に実行されるステップｋでは、切換要素１１が開かれる。
【００６１】
切換要素１１が、特に真空バルブとして構成されているので、この真空バルブは、定常状態中に閉じられていることが有益である。真空バルブを開いたまま保持するためには、対応する開口保持力を印加する必要がある。当該真空バルブが、定常状態中に閉じられる場合、機械的な負荷が、当該真空バルブの操作機構にかからないことが保証される。
【００６２】
図３ａ〜３ｃには、第２の実施の形態にしたがって構成された転換スイッチ２が概略的に示されている。この実施の形態の場合、転換スイッチ２が、第３の切換接触子２．３に接続されている可動の２つの中央接触子２．４，２．５を有する。この場合、図３ｂに示されているように、第１の中央接触子２．４が、第１の切換接触子２．１に接触し、第２の中央接触子２．５が、第２の切換接触子２．２に接触することによって、ブリッジ位置が得られる。
【符号の説明】
【００６３】
１                      負荷時タップ切換器
２                      転換スイッチ
２．１／２．２／２．３  転換スイッチの第１／第２／第３の切換接触子
２．４／２．５          転換スイッチの可動の第１／第２の中央接触子
３                      負荷出力線
４                      固定接触子
４．１／４．２          固定接触子の第１／第２の接触面
５                      固定接触子
５．１／５．２          固定接触子の第１／第２の接触面
６                      第１の可動接触子
７                      第２の可動接触子
８                      主分岐部
９                      補助分岐部
１０                    限流素子
１１                    切換要素
２０                    調整巻線
ｎ、ｎ＋１              巻線タップ
【図１】
2018514085.tif 000003
【図２ａ】
2018514085.tif 000004
【図２ｂ】
2018514085.tif 000005
【図２ｃ】
2018514085.tif 000006
【図２ｄ】
2018514085.tif 000007
【図２ｅ】
2018514085.tif 000008
【図２ｆ】
2018514085.tif 000009
【図２ｇ】
2018514085.tif 000010
【図２ｈ】
2018514085.tif 000011
【図２ｉ】
2018514085.tif 000012
【図２ｊ】
2018514085.tif 000013
【図２ｋ】
2018514085.tif 000014
【図３ａ】
2018514085.tif 000015
【図３ｂ】
2018514085.tif 000016
【図３ｃ】
2018514085.tif 000017
【国際調査報告】
2018514085.tif 000018
2018514085.tif 000019
2018514085.tif 000020
2018514085.tif 000021